【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
無線通信機器と通信する方法であって、
複数入力複数出力（ＭＩＭＯ）アンテナシステムから送信される直交周波数分割多重接続（ＯＦＤＭＡ）信号を受信することであって、前記ＯＦＤＭＡ信号は、１つ以上のリソースブロックを用いることによって受信され、各リソースブロックは、１８個のサブキャリアと６個のＯＦＤＭＡシンボルとを表す１８＊６行列の形態である、ことと、
４つのアンテナに対応する４つのパイロット信号に基づいてチャンネル推定を行うことであって、前記４つのパイロット信号は、前記６個のＯＦＤＭＡシンボルの１番目、２番目、５番目及び６番目のＯＦＤＡＭシンボルにのみわたって分散される、ことと
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れており、
各ＯＦＤＭＡシンボルは、前記パイロットサブキャリアを含み、前記１番目〜４番目に発生するパイロットサブキャリアは、前記４つのアンテナに対応する、方法。
【請求項２】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記６個のＯＦＤＭＡシンボルのうちの１番目のＯＦＤＭＡシンボル内の１番目、２番目、３番目、及び４番目に発生するパイロットサブキャリアである、請求項１に記載の方法。
【請求項３】
パイロットサブキャリアＰ２、Ｐ３、Ｐ０、及びＰ１は、前記６個のＯＦＤＭＡシンボルのうちの２番目に発生するＯＦＤＭＡシンボル内の１番目、２番目、３番目、及び４番目に発生するパイロットサブキャリアである、請求項２に記載の方法。
【請求項４】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記６個のＯＦＤＭＡシンボルのうちの５番目に発生するＯＦＤＭＡシンボル内の１番目、２番目、３番目、及び４番目に発生するパイロットサブキャリアである、請求項１に記載の方法。
【請求項５】
パイロットサブキャリアＰ３、Ｐ２、Ｐ１、及びＰ０は、前記６個のＯＦＤＭＡシンボルのうちの６番目に発生するＯＦＤＭＡシンボル内の１番目、２番目、３番目、及び４番目に発生するパイロットサブキャリアである、請求項４に記載の方法。
【請求項６】
前記チャンネル推定を行うステップの出力をＭＩＭＯ後処理すること
をさらに含む、請求項１に記載の方法。
【請求項７】
移動無線通信機器であって、
複数入力複数出力（ＭＩＭＯ）アンテナシステムから送信される直交周波数分割多重接続（ＯＦＤＭＡ）信号を受信するように構成された受信器であって、前記ＯＦＤＭＡ信号は、１つ以上のリソースブロックを用いることによって受信され、各リソースブロックは、１８個のサブキャリアと６個のＯＦＤＭＡシンボルとを表す１８＊６行列の形態である、受信器と、
前記受信器に作動可能に連結されており、４つのアンテナに対応する４つのパイロット信号に基づいてチャンネル特性を推定するように構成されるチャンネル推定器であって、前記４つのパイロット信号は、前記６個のＯＦＤＭＡシンボルの１番目、２番目、５番目及び６番目のＯＦＤＡＭシンボルにのみわたって分散される、チャンネル推定器と
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れている、移動無線通信機器。
【請求項８】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記１番目のＯＦＤＭＡシンボル内の１番目、２番目、３番目、及び４番目に発生するパイロットサブキャリアである、請求項７に記載の移動無線通信機器。
【請求項９】
前記パイロットサブキャリアＰ２、Ｐ３、Ｐ０、及びＰ１は、前記２番目のＯＦＤＭＡシンボル内の１番目、２番目、３番目、及び４番目に発生するパイロットサブキャリアである、請求項８に記載の移動無線通信機器。
【請求項１０】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記５番目のＯＦＤＭＡシンボル内の１番目、２番目、３番目、及び４番目に発生するパイロットサブキャリアである、請求項７に記載の移動無線通信機器。
【請求項１１】
前記パイロットサブキャリアＰ３、Ｐ２、Ｐ１、及びＰ０は、前記６番目のＯＦＤＭＡシンボル内の１番目、２番目、３番目、及び４番目に発生するパイロットサブキャリアである、請求項１０に記載の移動無線通信機器。
【請求項１２】
前記チャンネル推定器に作動可能に連結されており、前記チャンネル推定器の出力を後処理するように構成されたＭＩＭＯポストプロセッサをさらに含む、請求項７に記載の移動無線通信機器。
【手続補正２】
【補正対象書類名】明細書
【補正対象項目名】００１６
【補正方法】変更
【補正の内容】
【００１６】
本発明の他の様相において、ダウンリンク及びアップリンク通信のためにＯＦＤＭＡ変調を用いる４個の送信アンテナを有する無線移動通信システムは、ＭＩＭＯアンテナ、前記ＭＩＭＯアンテナに作動可能に連結されたＯＦＤＭＡ変調器、及び前記ＯＦＤＭＡ変調器に作動可能に連結されたプロセッサを含み、前記プロセッサは、１８個のサブキャリアと６個のＯＦＤＭＡシンボルとで構成される１８＊６大きさのリソースブロック内に、パイロットサブキャリアを割り当てるように構成されている。ここで、１番目の送信アンテナのためのパイロットサブキャリアは、前記リソースブロックの２次元インデックス（０，０）、（５，４）、（１２，１）、及び（１７，５）に割り当てられ、２番目の送信アンテナのためのパイロットサブキャリアは、前記リソースブロックの２次元インデックス（０，４）、（５，０）、（１２，５）、及び（１７，１）に割り当てられ、３番目の送信アンテナのためのパイロットサブキャリアは、前記リソースブロックの２次元インデックス（０，１）、（５，５）、（１２，０）、及び（１２，４）に割り当てられ、４番目の送信アンテナのためのパイロットサブキャリアは、前記リソースブロックの２次元インデックス（０，５）、（５，１）、（１２，４）、及び（１７，０）に割り当てられる。ここで、インデックス（ｉ，ｊ）は、前記リソースブロックにおける（ｉ＋１）番目のサブキャリア及び（ｊ＋１）番目のＯＦＤＭＡシンボルに在るリソース要素の位置を表す。
例えば、本発明は以下の項目を提供する。
（項目１）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信する段階と、
１８個のサブキャリアと６個のＯＦＤＭＡシンボルを表す１８＊６大きさの行列形態のリソースブロック（ｒｅｓｏｕｒｃｅ  ｂｌｏｃｋ）を生成するために、上記ＯＦＤＭＡ信号を復調する段階と、
上記６個のＯＦＤＭＡシンボルのうち、４個のＯＦＤＭＡシンボルにわたってのみ分散された（ｄｉｓｔｒｉｂｕｔｅｄ）４個のパイロットシンボルを検出する段階であって、パイロットシンボルを含むそれぞれのＯＦＤＭＡシンボル内で、１番目のパイロットシンボルと２番目のパイロットシンボルとは、４個のサブキャリアだけ離れており、上記２番目のパイロットシンボルと３番目のパイロットシンボルとは、６個のサブキャリアだけ離れており、上記３番目のパイロットシンボルと４番目のパイロットシンボルとは、４個のサブキャリアだけ離れている、検出段階と、
上記検出された４個のパイロットシンボルに基づいてチャンネル推定を行う段階と、
を含む、無線通信機器と通信する方法。
（項目２）
上記４個のパイロットシンボルは、パイロットシンボルＰ０、Ｐ１、Ｐ２、Ｐ３を含み、上記パイロットシンボルＰ０、Ｐ１、Ｐ２、Ｐ３はそれぞれ、上記６個のＯＦＤＭＡシンボルのうち１番目のＯＦＤＭＡシンボルにおいて１番目、２番目、３番目、及び４番目のパイロットシンボルである、項目１に記載の無線通信機器と通信する方法。
（項目３）
上記パイロットシンボルＰ２、Ｐ３、Ｐ０、及びＰ１は、上記６個のＯＦＤＭＡシンボルのうち２番目のＯＦＤＭＡシンボルにおいて１番目、２番目、３番目、及び４番目のパイロットシンボルである、項目２に記載の無線通信機器と通信する方法。
（項目４）
上記パイロットシンボルＰ１、Ｐ０、Ｐ３、及びＰ２は、上記６個のＯＦＤＭＡシンボルのうち５番目のＯＦＤＭＡシンボルにおいて１番目、２番目、３番目、及び４番目のパイロットシンボルである、項目３に記載の無線通信機器と通信する方法。
（項目５）
上記パイロットシンボルＰ３、Ｐ２、Ｐ１、及びＰ０は、上記６個のＯＦＤＭＡシンボルのうち６番目のＯＦＤＭＡシンボルにおいて１番目、２番目、３番目、及び４番目のパイロットシンボルである、項目４に記載の無線通信機器と通信する方法。
（項目６）
上記６個のＯＦＤＭＡシンボルのうち、４個のＯＦＤＭＡシンボルにわたってのみ分散された上記４個のパイロットシンボルは、時間領域で連続したパイロットシンボルの１番目の対（ｐａｉｒ）、及び時間領域で連続したパイロットシンボルの２番目の対を含み、上記２番目の対は、上記１番目の対から、パイロットシンボルを含まない２個のＯＦＤＭＡシンボルだけ離れている、項目１に記載の無線通信機器と通信する方法。
（項目７）
上記１８＊６大きさの行列のインデックスナンバーセット（ｏ，ｐ，ｑ，ｒ）は、上記リソースブロックにおける（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
上記６個のＯＦＤＭＡシンボルのうち、４個のＯＦＤＭＡシンボルにわたってのみ分散された４個のパイロットシンボルを検出する段階は、インデックスナンバー（０，１，４，５）に対応する位置のパイロットシンボルを検出する段階を含む、項目１に記載の無線通信機器と通信する方法。
（項目８）
上記チャンネル推定を行う段階の出力をＭＩＭＯ後処理（ＭＩＭＯ  ｐｏｓｔ−ｐｒｏｃｅｓｓｉｎｇ）する段階と、
入力シンボルを対応するコードワード（ｃｏｄｅｗｏｒｄ）にデマッピングする段階と、
上記コードワードをデコーディングする段階と、
をさらに含む、項目１に記載の無線通信機器と通信する方法。
（項目９）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信器と、
上記受信器に作動可能に連結されており、１８個のサブキャリアと６個のＯＦＤＭＡシンボルを表す１８＊６大きさの行列形態のリソースブロック（ｒｅｓｏｕｒｃｅ  ｂｌｏｃｋ）を生成するために、上記ＯＦＤＭＡ信号を復調するように構成された復調器と、
上記復調器に作動可能に連結されており、上記６個のＯＦＤＭＡシンボルのうち、４個のＯＦＤＭＡシンボルにわたってのみ分散された４個のパイロットシンボルを検出するように構成されたチャンネル推定器と、
を含む移動無線通信機器であって、
パイロットシンボルを含むそれぞれのＯＦＤＭＡシンボルにおいて、１番目のパイロットシンボルと２番目のパイロットシンボルとは、４個のサブキャリアだけ離れており、上記２番目のパイロットシンボルと３番目のパイロットシンボルとは、６個のサブキャリアだけ離れており、上記３番目のパイロットシンボルと４番目のパイロットシンボルとは、４個のサブキャリアだけ離れている、移動無線通信機器。
（項目１０）
上記４個のパイロットシンボルは、パイロットシンボルＰ０、Ｐ１、Ｐ２、Ｐ３を含み、上記パイロットシンボルＰ０、Ｐ１、Ｐ２、Ｐ３はそれぞれ、上記６個のＯＦＤＭＡシンボルのうち１番目のＯＦＤＭＡシンボルにおいて１番目、２番目、３番目、及び４番目のパイロットシンボルである、項目９に記載の移動無線通信機器。
（項目１１）
上記パイロットシンボルＰ２、Ｐ３、Ｐ０、及びＰ１は、上記６個のＯＦＤＭＡシンボルのうち２番目のＯＦＤＭＡシンボルにおいて１番目、２番目、３番目、及び４番目のパイロットシンボルである、項目１０に記載の移動無線通信機器。
（項目１２）
上記パイロットシンボルＰ１、Ｐ０、Ｐ３、及びＰ２は、上記６個のＯＦＤＭＡシンボルのうち５番目のＯＦＤＭＡシンボルにおいて１番目、２番目、３番目、及び４番目のパイロットシンボルである、項目１１に記載の移動無線通信機器。
（項目１３）
上記パイロットシンボルＰ３、Ｐ２、Ｐ１、及びＰ０は、上記６個のＯＦＤＭＡシンボルのうち６番目のＯＦＤＭＡシンボルにおいて１番目、２番目、３番目、及び４番目のパイロットシンボルである、項目１２に記載の移動無線通信機器。
（項目１４）
上記６個のＯＦＤＭＡシンボルのうち、４個のＯＦＤＭＡシンボルにわたってのみ分散された上記４個のパイロットシンボルは、時間領域で連続したパイロットシンボルの１番目の対（ｐａｉｒ）、及び時間領域で連続したパイロットシンボルの２番目の対を含み、上記２番目の対は、上記１番目の対から、パイロットシンボルを含まない２個のＯＦＤＭＡシンボルだけ離れている、項目９に記載の移動無線通信機器。
（項目１５）
上記１８＊６大きさの行列のインデックスナンバーセット（ｏ，ｐ，ｑ，ｒ）は、上記リソースブロックにおける（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
上記検出器は、インデックスナンバー（０，１，４，５）に対応する位置のパイロットシンボルを検出するように構成された、項目９に記載の移動無線通信機器。
（項目１６）
上記チャンネル推定器に作動可能に連結されており、上記チャンネル推定器の出力を後処理（ｐｏｓｔ−ｐｒｏｃｅｓｓｉｎｇ）するように構成されたＭＩＭＯポストプロセッサと、
上記ＭＩＭＯポストプロセッサに作動可能に連結されており、入力シンボルをコードワード（ｃｏｄｅｗｏｒｄ）にデマッピングするように構成されたデマッパーと、
デマッパーに作動可能に連結されており、上記コードワードをデコーディングするように構成されたチャンネルデコーダと、
をさらに含む、項目９に記載の移動無線通信機器。